(57)【要約】【課題】親がイベントや交流会などに直接参加しないでも代理見合いが容易にでき、且つより適切でユニークな情報に基づいてお見合いの相手を判定することができる代理見合い支援システムを提供する。【解決手段】代理見合い支援システムに備わる代理見合い支援装置１０は、認証部１２と、親の端末装置から送信された希望条件に基づいて、データベース部１７に記憶された会員情報を検索して、希望条件に該当する異性に関する情報を端末装置に返信するマッチング判定部１３と、親の端末装置から他の親に対して、子供のお見合いに関するアプローチリクエストを受けた場合、当該他の親の端末装置にアプローチ通達を送信するリクエスト判定部１８と、を備える。この構成により、代理見合い支援システムでは、親がイベントや交流会などに直接参加しないでも代理見合いが容易にでき、且つより適切でユニークな情報に基づいてお見合いの相手を判定することができる。【選択図】図２
2020144630.tif 000002
【特許請求の範囲】
【請求項１】
親の代理お見合いを支援する代理見合い支援装置と、親の端末装置と、子の端末装置とがネットワークを介して接続された代理見合い支援システムであって、
前記代理見合い支援装置は、
プログラムに基づいて前記代理見合い支援システムの情報処理を実現のための制御を行う制御部と、
データベース部と、
前記データベース部に記憶された会員登録の際に登録された会員情報と、前記親の端末装置から送信された認証情報が一致するか否かを判定し、一致する場合には、前記代理見合い支援システムを開始する認証部と、
前記親の端末装置から送信された希望条件に基づいて、前記データベース部に記憶された会員情報を検索して、希望条件に該当する異性に関する情報を当該端末装置に返信するマッチング判定部と、
インターネットと接続され、受信した情報や通知を、各処理部に出力し、各処理部からの情報をインターネット上に出力する処理を行う送受信部と、
前記送受信部を介して前記親の端末装置から他の親に対して、子供のお見合いに関するアプローチリクエストを受けた場合、当該他の親の端末装置にアプローチ通達を送信するリクエスト判定部と、を備えることを特徴とする代理見合い支援システム。
【請求項２】
前記アプローチ通達を受けた親の端末装置は、前記代理見合い支援装置に対して、前記アプローチリクエストをした親及びその子に関する情報を請求、又は専門家によるアドバイス請求をする、ことを特徴とする請求項１記載の代理見合い支援システム。
【請求項３】
前記代理見合い支援装置は、さらに、
処理情報を表示するための表示部と、
前記表示部に表示される情報を操作する操作入力部と、を備え、
前記データベース部には、前記操作入力部を介して専門家により編集された前記会員情報、親子のプロフィール情報、写真情報の少なくとも１つが記憶される、ことを特徴とする請求項１又は２記載の代理見合い支援システム。
【請求項４】
前記データベース部に記憶される情報には、さらに、親の子供の結婚への思い、親子のアピールポイント、親のエンディングノート、家族のヒストリーとなる写真に関する情報の少なくとも１つが含まれる、ことを特徴とする請求項３記載の代理見合い支援システム。
【請求項５】
前記リクエスト判定部は、さらに、親同士のマッチングが成立した場合には、前記子の端末装置に対して、お見合い紹介リクエストを送信し、
当該お見合い紹介リクエストを受けた前記子の端末装置は、前記代理見合い支援装置に対して、相手の親子に関する情報を請求、又は専門家によるアドバイス請求をする、ことを特徴とする請求項１乃至４のいずれか一項に記載の代理見合い支援システム。
【請求項６】
親の端末装置及び子の端末装置とネットワークを介して接続され、親の代理お見合いを支援する代理見合い支援装置であって、
プログラムに基づいて前記代理見合い支援システムの情報処理を実現のための制御を行う制御部と、
データベース部と、
前記データベース部に記憶された会員登録の際に登録された会員情報と、前記親の端末装置から送信された認証情報が一致するか否かを判定し、一致する場合には、前記代理見合い支援システムを開始する認証部と、
前記親の端末装置から送信された希望条件に基づいて、前記データベース部に記憶された会員情報を検索して、希望条件に該当する異性に関する情報を当該端末装置に返信するマッチング判定部と、
インターネットと接続され、受信した情報や通知を、各処理部に出力し、各処理部からの情報をインターネット上に出力する処理を行う送受信部と、
前記送受信部を介して前記親の端末装置から他の親に対して、子供のお見合いに関するアプローチリクエストを受けた場合、当該他の親の端末装置にアプローチ通達を送信するリクエスト判定部と、を備えることを特徴とする代理見合い支援装置。
【請求項７】
親の端末装置及び子の端末装置とネットワークを介して接続され、親の代理お見合いを支援する代理見合い支援装置に用いるプログラムであって、
前記代理見合い支援装置に備わるデータベース部に記憶された会員登録の際に登録された会員情報と、前記親の端末装置から送信された認証情報が一致するか否かを判定し、一致する場合には、前記代理見合い支援システムを開始する認証ステップと、
前記親の端末装置から送信された希望条件に基づいて、前記データベース部に記憶された会員情報を検索して、希望条件に該当する異性に関する情報を当該端末装置に返信するマッチング判定ステップと、
インターネットと接続され、受信した情報や通知を、各処理部に出力し、各処理部からの情報をインターネット上に出力する処理を行う送受信ステップと、
前記親の端末装置から他の親に対して、子供のお見合いに関するアプローチリクエストを受けた場合、当該他の親の端末装置にアプローチ通達を送信するリクエスト判定ステップと、を含むことを特徴とするプログラム。
【発明の詳細な説明】
【技術分野】
【０００１】
本発明は、いわゆる親が子供の結婚相手を探す代理見合いを支援するための代理見合い支援システムに関し、特に、インターネットなど広域ネットワークを介して行うことができる代理見合い支援システム、及び当該システムに用いる代理見合い支援装置に関する。
【背景技術】
【０００２】
近年の未婚化・晩婚化問題に伴い、親が子供の結婚相手を探す代理見合い・親の婚活が活況となっている。これは、結婚適齢期にある独身の子供たちに代わって、婚活を両親が行い、人生経験豊富な親同士が互いに話し合うことでまず最初に親の信頼関係を築きあげ、子供のパートナー探しを両親が手伝うというものである。
【０００３】
ここで、従来の一般的な代理見合いシステムの手順に関して図８を参照して説明する。最初に、親が代理見合いサービスを提供する事業者にプロフィールなどの基本情報を登録をする（Ｓ１０１）。次に、親が子供のプロフィールや写真などを実際に持ち寄って、親同士の交流会に参加して、その場で条件に合うような相手を見つける（Ｓ１０２）。そして、親同士が気に入れば子供にその相手の情報を伝えて、親子で実際にお見合いをするか否かの検討を行う（Ｓ１０３）。最後に、親同士が気に入り、且つ子供同士も気に入れば実際にお見合いを行うことで子供の成婚に繋げようというものである（Ｓ１０４）。
【０００４】
また、お見合いや婚活支援用のシステムは従来より多く知られており、例えば、メールでの交際申し込みからお見合いデータ交際に至る過程を段階的に進めてゆくことができる成婚支援用のメール送受信システムが開示されている（例えば、特許文献１参照）。
【先行技術文献】
【特許文献】
【０００５】
【特許文献１】特開２００９−４８３６５号公報
【発明の概要】
【発明が解決しようとする課題】
【０００６】
しかしながら、上述のような従来の代理見合いシステムは、イベント参加型がほとんどであるため、参加者である親が毎回プロフィールを用意してイベント会場に赴き、その場で運命的な相手を探すしかなく、現実的には非常に非効率である。
【０００７】
また、代理お見合いを提供する業者側も、代理お見合いを開催するには毎回参加者を募り、その都度イベントを催す必要性があり、多大な手間と労力を要する。
【０００８】
さらに、従来の代理見合いシステムにおいては、相手の情報が親などが書き込んだ紙のプロフィールの情報に限定されており、多くの者が相手の特定の情報（年収や年齢など）のみに基づいて相手を探さざるを得ない。すると、当然にこの条件を備えている一部の異性にのみ人気が集中し、他の参加者の大部分は相手を見つけることができない。すなわち、結婚の際に重要となる他の情報・アピールポイント（例えば共通の価値観、家族、人間力）を適切に相手の親子に伝えられないという問題もある。
【０００９】
本発明は、上記課題に鑑みてなされたものであり、親がイベントや交流会などに直接参加しないでも代理見合いが容易にでき、且つより適切でユニークな情報に基づいてお見合いの相手を判定することができる代理見合い支援システムを提供することを目的とする。また、この代理見合い支援システムに用いられるお見合い支援装置を提供することをも目的とする。
【課題を解決するための手段】
【００１０】
上記目的を達成するために本発明は、親の代理お見合いを支援する代理見合い支援装置と、親の端末装置と、子の端末装置とがネットワークを介して接続された代理見合い支援システムであって、前記代理見合い支援装置は、プログラムに基づいて前記代理見合い支援システムの情報処理を実現のための制御を行う制御部と、データベース部と、前記データベース部に記憶された会員登録の際に登録された会員情報と、前記親の端末装置から送信された認証情報が一致するか否かを判定し、一致する場合には、前記代理見合い支援システムを開始する認証部と、前記親の端末装置から送信された希望条件に基づいて、前記データベース部に記憶された会員情報を検索して、希望条件に該当する異性に関する情報を当該端末装置に返信するマッチング判定部と、インターネットと接続され、受信した情報や通知を、各処理部に出力し、各処理部からの情報をインターネット上に出力する処理を行う送受信部と、前記送受信部を介して前記親の端末装置から他の親に対して、子供のお見合いに関するアプローチリクエストを受けた場合、当該他の親の端末装置にアプローチ通達を送信するリクエスト判定部と、を備えることを特徴とするものである。
【００１１】
この代理見合い支援システムにおいて、前記アプローチ通達を受けた親の端末装置は、前記代理見合い支援装置に対して、前記アプローチリクエストをした親及びその子に関する情報を請求、又は専門家によるアドバイス請求をすることが好ましい。
【００１２】
この代理見合い支援システムにおいて、前記代理見合い支援装置は、さらに、処理情報を表示するための表示部と、前記表示部に表示される情報を操作する操作入力部と、を備え、前記データベース部には、前記操作入力部を介して専門家により編集された前記会員情報、親子のプロフィール情報、写真情報の少なくとも１つが記憶されることが好ましい。
【００１３】
この代理見合い支援システムにおいて、前記データベース部に記憶される情報には、さらに、親の子供の結婚への思い、親子のアピールポイント、親のエンディングノート、家族のヒストリーとなる写真に関する情報の少なくとも１つが含まれることが好ましい。
【００１４】
この代理見合い支援システムにおいて、前記リクエスト判定部は、さらに、親同士のマッチングが成立した場合には、前記子の端末装置に対して、お見合い紹介リクエストを送信し、当該お見合い紹介リクエストを受けた前記子の端末装置は、前記代理見合い支援装置に対して、相手の親子に関する情報を請求、又は専門家によるアドバイス請求をすることが好ましい。
【００１５】
上記目的を達成するために本発明は、親の端末装置及び子の端末装置とネットワークを介して接続され、親の代理お見合いを支援する代理見合い支援装置であって、プログラムに基づいて前記代理見合い支援システムの情報処理を実現のための制御を行う制御部と、データベース部と、前記データベース部に記憶された会員登録の際に登録された会員情報と、前記親の端末装置から送信された認証情報が一致するか否かを判定し、一致する場合には、前記代理見合い支援システムを開始する認証部と、前記親の端末装置から送信された希望条件に基づいて、前記データベース部に記憶された会員情報を検索して、希望条件に該当する異性に関する情報を当該端末装置に返信するマッチング判定部と、インターネットと接続され、受信した情報や通知を、各処理部に出力し、各処理部からの情報をインターネット上に出力する処理を行う送受信部と、前記送受信部を介して前記親の端末装置から他の親に対して、子供のお見合いに関するアプローチリクエストを受けた場合、当該他の親の端末装置にアプローチ通達を送信するリクエスト判定部と、を備えることを特徴とするものである。
【００１６】
上記目的を達成するために本発明は、親の端末装置及び子の端末装置とネットワークを介して接続され、親の代理お見合いを支援する代理見合い支援装置に用いるプログラムであって、前記代理見合い支援装置に備わるデータベース部に記憶された会員登録の際に登録された会員情報と、前記親の端末装置から送信された認証情報が一致するか否かを判定し、一致する場合には、前記代理見合い支援システムを開始する認証ステップと、前記親の端末装置から送信された希望条件に基づいて、前記データベース部に記憶された会員情報を検索して、希望条件に該当する異性に関する情報を当該端末装置に返信するマッチング判定ステップと、インターネットと接続され、受信した情報や通知を、各処理部に出力し、各処理部からの情報をインターネット上に出力する処理を行う送受信ステップと、前記親の端末装置から他の親に対して、子供のお見合いに関するアプローチリクエストを受けた場合、当該他の親の端末装置にアプローチ通達を送信するリクエスト判定ステップと、を含むことを特徴とするものである。
【発明の効果】
【００１７】
本発明に係る代理見合い支援システムにおいて、代理見合い支援装置は、認証部と、親の端末装置から送信された希望条件に基づいて、データベース部に記憶された会員情報を検索して、希望条件に該当する異性に関する情報を端末装置に返信するマッチング判定部と、親の端末装置から他の親に対して、子供のお見合いに関するアプローチリクエストを受けた場合、当該他の親の端末装置にアプローチ通達を送信するリクエスト判定部と、を備える。この構成により、本発明に係る代理見合い支援システムでは、親がイベントや交流会などに直接参加しないでも代理見合いが容易にでき、且つより適切でユニークな情報に基づいてお見合いの相手を判定することができる。
【図面の簡単な説明】
【００１８】
【図１】本発明の実施の形態に係る代理見合い支援システムの全体構成図である。
【図２】同上代理見合い支援システムに備わる代理見合い支援装置の機能ブロック図である。
【図３】（ａ）及び（ｂ）同上代理見合い支援装置のデータベース部に記録される情報の一例を示す図である。
【図４】（ａ）及び（ｂ）同上代理見合い支援装置のデータベース部に記録される情報の一例を示す図である。
【図５】同上代理見合い支援装置のデータベース部に記録される情報の一例を示す図である。
【図６】同上実施の形態に係る代理見合い支援システム全体のデータの流れを示すシーケンス図である。
【図７】同上実施の形態の変形例１に係る代理見合い支援システム全体のデータの流れを示すシーケンス図である。
【図８】従来の代理見合い支援システムの手順を示すフローチャートである。
【発明を実施するための形態】
【００１９】
（実施の形態）
本発明の実施の形態に係る代理見合い支援システム、及びこのシステムに用いる代理見合い支援装置について図１乃至図６を参照して説明する。本実施の形態に係る代理見合い支援システムでは、結婚適齢期を迎えた子供を持つ両親が代理人となって、代理お見合いサービスに登録することで、子供に代わって両親がパートナー探しのための情報や機会の提供を受け、子供のパートナーを探すものである。
【００２０】
図１に示すように、代理見合い支援システム１は、代理見合い支援サービスを提供する業者などに備わる代理見合い支援装置（以下、支援装置と記す）１０と、登録会員たる親Ａ，親Ｂが使用する端末装置２０，３０と、親Ａの子Ａが使用する端末装置４０と、親Ｂの子Ｂが使用する端末装置５０とを備え、互いにインターネットなどの広域ネットワークを介して接続されている。
【００２１】
支援装置１０は、代理見合い支援システム１を提供するためのプログラムが動作する装置であり、サーバなどが該当する。支援装置１０は、メモリにインストールされているプログラムにより処理フローを実行して、ネットワークを介して受信する会員からの要求に対して情報処理を行い、その処理結果を会員に提供する。
【００２２】
端末装置２０，３０は、代理見合い支援サービスの登録会員である親（登録者自身）が使用するパソコン、スマートフォンなどであり、有線又は無線を介してインターネットに接続されて通信可能なコンピュータ端末である。端末装置２０，３０は、タッチパネルなどの入力部、液晶画面などの表示部、ネットワークとの通信部を備え、インターネット閲覧ソフトを使用して支援装置１０にアクセスして、支援装置１０が提供するウェブブラウザを画面表示するようにしても良い。または、端末装置２０，３０は、独自のアプリケーションにより画面を生成して、支援装置１０が提供する情報を表示・操作入力するようにしても良い。この場合、端末装置２０，３０にインストールされる専用のアプリケーションプログラムは、例えば代理見合い支援システム１を提供する管理会社から登録会員に提供されるアプリである。
【００２３】
端末装置４０，５０は、代理見合い支援サービスの登録会員である親の子供が使用するパソコン、スマートフォンなどであり、機能としては端末装置２０，３０と同様となる。
【００２４】
次に、代理見合い支援システム１に含まれる支援装置１０の機能構成に関して図２を参照して説明する。支援装置１０は、制御部１１と、認証部１２と、マッチング判定部１３と、表示部１４と、操作入力部１５と、送受信部１６と、データベース部１７と、リクエスト判定部１８とを備える。
【００２５】
制御部１１は、ＣＰＵ（Central Processing Unit）を備え、プログラムに基づいて代理見合い支援システム１の情報処理を実現のための制御を行う。認証部１２は、データベース部１７に記憶された会員登録の際に登録されたIDなどの会員情報と、端末装置２０，３０の会員から送信された認証情報が一致するか否かを判定し、一致する場合には、代理見合い支援システム１を開始する。マッチング判定部１３は、会員が操作する端末装置２０，３０から送信された希望条件に基づいて、データベース部１７に記憶された会員情報を検索して、希望条件に該当する異性に関する情報を端末装置２０，３０に返信する。
【００２６】
表示部１４は、処理情報を表示するための液晶などの液晶表示パネルなどである。操作入力部１５は、表示部１４に表示される情報を操作するキーボードなどのユーザインターフェースである。代理見合い支援システム１においては、アドバイザーと呼ばれる専門家が、操作入力部１５を用いて、端末装置２０〜５０からオンライン又はオフラインで提供された親のプロフィール、子供のプロフィールの情報を編集、その他アドバイスやコメントを入力する。
【００２７】
送受信部１６は、インターネットと接続され、受信した情報や通知を、各処理部に出力し、各処理部からの情報をインターネット上に出力する処理を行う。
【００２８】
データベース部１７は、ＯＳやアプリケーションプログラム、会員情報、後述するエンディングノート、プロフィールや写真などの個人情報を記憶するためのハードディスクなどのメモリ部である。データベース部１７に記憶される会員情報には、例えば、氏名、性別、生年月日、住所、連絡先、学歴、勤務先、年収、体格、体重、血液型、希望する異性の情報を示す希望条件情報、会員を特定するための会員コードなどの情報が含まれ、テーブル形式で記憶される。なお、データベース部１７に保持される情報は、端末装置２０，３０からオンラインを介して取得した情報に限定されず、親からオフラインで提供される書類などから操作入力部１５を用いて入力された情報も含まれる。
【００２９】
リクエスト判定部１８は、支援装置１０が送受信部１６を介して親の端末装置２０（又は３０）から他の親に対して、子供のお見合いに関するアプローチリクエストを受けた場合、他の親の端末装置３０（又は２０）にアプローチ通達を送信する。また、リクエスト判定部１８は、親同士のマッチングが成立した場合には、子の端末装置４０，５０に対して、お見合い紹介リクエストを送信する処理を行う。
【００３０】
次に、支援装置１０のデータベース部１７に記憶される情報に関して図３〜図５を参照しながら説明する。
【００３１】
代理見合いを利用する親は、図３に示すような入会申込書３ａを記入し、これらの情報がオンラインを介して支援装置１０のデータベース部１７に蓄積される。図３（ａ）においては、入会情報としての親と子の氏名、電話番号、メールアドレス、生年月日、続柄、住所などの情報が入力される。入会申込書３ａへの入力はオンライン／オフラインのどちらでも良く、オフラインの場合には支援会社が頂いた顧客から頂いた情報を操作入力部１５を用いて入力する。
【００３２】
代理見合い支援システム１のデータベース部１７に登録される情報には工夫がなされている。すなわち、図３（ｂ）に示すように、普段は子供が親からは聞くことのできない親の子供の結婚への思いが含まれる。具体的には、申込書３ｂに示すように「親御様からお子様への、結婚の思い」、「親御様からお子様への、感謝の気持ち」、「お子さまのことで心配なこと」、「その他、アドバイザーへ相談したいこと」の欄が設けられている。例えば、このユニークな情報のうちの「親御様からお子様への、感謝の気持ち」に関しては、支援装置１０とオンライン接続された子の端末装置４０，５０からも閲覧可能とし、親の子供の結婚への思いを知った子供の自発的な婚活を促すことに繋げることができる。
【００３３】
代理見合いを利用する親は、図４に示すようなプロフィールシート４ａに情報を記入し、これらの情報がオンラインを介して支援装置１０のデータベース部１７に蓄積される。プロフィールシート４ａの内容は、図４（ａ）に示すような、過去に「どのような思い（お考え）で「子育て」をされてきたか」、現在「お相手（ご両親）にアピールしたいこと」、「日々の「健康」への取り組みについて聞かせてください」、未来に「これから夫婦で楽しみたい（チャレンジしたい）と思う「未来の人生プラン」を教えてください」などとなる。これらの情報は、親がしっかりした考えを持っている、健康に配慮している、親自身も人生を楽しんでいるなどの点が子の婚活のアピールに繋がるため、他の親の端末装置３０や子の端末装置４０，５０からも閲覧可能となる。
【００３４】
図４（ｂ）は、親のエンディングノート４ｂである。エンディングノート４ｂとは、高齢者が終末期を迎えるにあたり、病気などで判断力を失うような状況になったとき、また死亡したときにしてほしいことを書き留めておくノートである。図４（ｂ）に示すように、エンディングノート４ｂには、病気の告知のことの選択欄、延命治療の選択欄、介護の選択欄などがあり、このようなエンディングノート４ｂを記録しておくことで、もしもの時に遺された家族の負担を軽減できる。支援装置１０のデータベース部１７に記録される情報には、エンディングノート４ｂが含まれる。このエンディングノート４ｂを子（自分の子のみ）に開示することにより、親の気持ちを知った子自身が自分の将来をより真剣に現実的に考えるようになり、子もより積極的・自発的に婚活活動に励む要因となり得る。
【００３５】
図５は、支援装置１０のデータベース部１７に記録されて、開示されるアルバム５の一例を示す。本図において、このアルバム５は家族の思い出である。代理見合いをする親は、管理会社に予め子供を中心とした家族のヒストリーとなるような複数の写真データを提供し、アドバイザーなどの専門家が支援装置１０の操作入力部１５を介して編集作業を行いアルバム編集を行い、公開する。このアルバム５の情報は、子の婚活のアピールに繋がるため、他の親の端末装置３０や子の端末装置４０，５０からも閲覧可能となる。
【００３６】
このように、代理見合い支援システム１においては、親から提供された情報をそのまま開示するのではなく、アドバイザーと呼ばれる専門家が情報を適宜編集したり、子のより適切なアピールポイントを引き出して記載したり、魅力的なアルバム作成を代理する。
【００３７】
次に、本実施の形態に係る代理見合い支援システム１の動作に関して図６のシーケンス図を参照して説明する。なお、本シーケンスにおいては端末装置２０の親Ａが子供のパートナーを探している状況に関して説明する。
【００３８】
最初に、支援装置１０と、代理見合いを希望する親の端末装置２０，３０との間で、上述の図３〜５に示すような入会情報、プロフィール情報、アルバム情報のオンライン上での交換を行い、代理見合い支援装置１０のデータベース部１７に登録される（Ｓ６０１，Ｓ６０２）。従来は、親自身がプロフィールを作成して、イベント会場に持ち込むだけであった。しかしながら、本実施の形態に係る代理見合い支援システム１ではアドバイザーがオンラインで添削（編集）する形で関与し、さらに磨きをかけたプロフィールがオンライン上で公開される。なお、このステップＳ６０１，Ｓ６０２と同様の処理をオフラインで行うことも可能である。
【００３９】
次に、子供のパートナーを探している端末装置２０の親Ａは、アプリケーションを立ち上げて、認証情報・閲覧請求を送信し（Ｓ６０３）、認証後にはオンラインで、支援装置１０のデータベース部１７に登録されている登録者の情報を閲覧・検索できる（Ｓ６０４）。この処理は例えばマッチング判定部１３が行う。この際、検索条件として、年齢、住所、年収、体格、趣味、血液型、星座などが挙げられるがこれに限定されるものではない。この際、支援装置１０から公開される情報は全てがオープンにされるものではなく、プロフィールなどの特定の必要情報に限定され、会員登録した親同士で検索できる。また、支援装置１０の側で地域、年齢など登録された項目のほか、性格判断や過去にうまくいった参加者の経験値などを加味（AI診断）して、お勧めの相手を推奨することもできる。
【００４０】
そして、端末装置２０の親Ａは、相手を検索して、気に入った相手がいる場合にはその子の親Ｂに対してアプローチリクエストを支援装置１０に送信する（Ｓ６０５）。支援装置１０のリクエスト判定部１８は、アプローチリクエストを受信すると、端末装置３０の親Ｂにアプローチが親Ａから来た旨であるアプローチ通達（Ｓ６０６）を送信する。
【００４１】
次に、端末装置３０の親Ｂは、相手とのマッチングを判定する。この際、本実施の形態に係る代理見合い支援システム１においては支援装置１０が必ず仲介する手順となるため、親Ａや子Ａのプロフィール以外の重要な追加情報（例えば、アルバム情報、紹介文、コメントなど）を親Ｂの端末装置３０に送信したり、適宜アドバイザーによりアドバイスなどが可能となり（Ｓ６０７，Ｓ６０８）、親Ａと親Ｂとの間の交流を円滑化して、マッチング成功率を高める。
【００４２】
そして、相手の親ＢからＹｅｓ（是非）という同意通知がある場合に（Ｓ６０９）おいて、リクエスト判定部１８は端末装置２０の親Ａにアプローチ結果通知（Ｓ６１０）を行い、親同士のマッチングが成立する。このように、代理見合い支援システム１においては、最初に親同士の交流（相手探し）という手順が必須となる。
【００４３】
次に、支援装置１０のリクエスト判定部１８は、親同士のマッチングが設立した場合には、子供同士が実際にお見合いをするかどうかを判断することができるように、お見合い紹介リクエストを端末装置４０の子Ａ及び端末装置５０の子Ｂにキャストする（Ｓ６１１，Ｓ６１２）。その後、子Ａ及び子Ｂがオンライン上で双方のプロフィールを支援装置１０を介して閲覧・確認することができる（Ｓ６１３，Ｓ６１４）。また、その際にも支援装置１０のアドバイザによりアドバイス（そのような心配は不要、そのような障害は乗り越えられるなど）や結婚相手の判断時に欠かすことのできないその他の追加情報を受けることができ（Ｓ６１５，Ｓ６１６）、マッチング成功率を高める。
【００４４】
最後に、相手の情報の閲覧、アドバイスを受けた子Ａ及び子Ｂは、相手とのお見合いをするか否かを意思表示を支援装置１０に対して行い、双方がＹｅｓの場合には子マッチング成立となり（Ｓ６１７，Ｓ６１８）、実際のお見合いに進む。このお見合いは、実際にオフラインでホテルなどでお見合いをすることもできるし、事前にＰＣやスマートフォンにインストールされたテレビ会議システム（動画会議システム）を使って、オンライン上でお見合いをすることが可能である。オンライン上のお見合いでは、子供同士の他に、アドバイザー（仲人）も加わり三者（親も参加するとそれ以上）によりお見合いが進行するパターンもある。
【００４５】
以上のように、本実施の形態に係る代理見合い支援システム１は、親の代理お見合いを支援する代理見合い支援装置１０と、親の端末装置２０，３０と、子の端末装置４０，５０とがネットワークを介して接続される。代理見合い支援装置１０は、プログラムに基づいて代理見合い支援システム１の情報処理を実現のための制御を行う制御部１１と、データベース部１７と、データベース部１７に記憶された会員登録の際に登録された会員情報と、親の端末装置２０，３０から送信された認証情報が一致するか否かを判定し、一致する場合には、代理見合い支援システム１を開始する認証部１２と、親の端末装置２０，３０から送信された希望条件に基づいて、データベース部１７に記憶された会員情報を検索して、希望条件に該当する異性に関する情報を端末装置２０，３０に返信するマッチング判定部１３と、インターネットと接続され、受信した情報や通知を、各処理部に出力し、各処理部からの情報をインターネット上に出力する処理を行う送受信部１６と、送受信部１６を介して親の端末装置２０，３０から他の親に対して、子供のお見合いに関するアプローチリクエストを受けた場合、当該他の親の端末装置２０，３０にアプローチ通達を送信するリクエスト判定部１８と、を備える。この構成により、親がイベントや交流会などに直接参加しないでも代理見合いの相手親を容易に探すことができ、且つデータベース部１７に記憶された、より適切でユニークな情報に基づいてお見合いの相手を判定することができる。
【００４６】
また、代理見合い支援装置１０は、さらに、処理情報を表示するための表示部１４と、表示部１４に表示される情報を操作する操作入力部１５と、を備える。データベース部１７には、操作入力部１５を介して専門家により編集された会員情報、親子のプロフィール情報、写真情報の少なくとも１つが記憶される。このため、お見合い相手を探している親は、支援装置１０のデータベース部１７に蓄積されたユニークな多くの情報（アドバイザーによる編集などもあり）より、より好ましい相手を探すことが可能となる。
【００４７】
さらに、本実施の形態に係る代理見合い支援システム１では、図６に示すように他の会員に提示される情報には、支援装置１０における判定が常に伴う。このため、アドバイザーである専門家が親子に関する情報を小出しにして相手の親子に開示・アドバイスでき、専門家が適切なタイミングで仲介でき、お見合い相手の判断を容易化する。また、開示する必要のない情報は開示しないという判断ができ、個人情報などのプライバシーの保護が図れる。
【００４８】
（第１の変形例）
本実施の形態の第１の変形例について、図７を参照して説明する。なお、本変形例において、上記実施の形態と同じ動作ステップについては同じ番号を付し、その詳細な説明は省略する。
【００４９】
本変形例に係る代理見合い支援システム１では、上記実施例とＳ６１６までは同じシーケンスとなるが、子の端末装置４０，５０からお見合い不同意通知（Ｓ６１９，Ｓ６２０）が来るマッチング不成立の場合を想定している。この場合、支援装置１０は、断れらた理由を検討し、その結果を親の端末装置２０，３０にフィードバック処理する（Ｓ６２１、Ｓ６２２）。なお、フィードバック処理は子の端末装置４０，５０に対しても行うことはできる。このため、本変形例に係る代理見合い支援システム１においては、上記実施の形態の効果に加えて、親や子が次回のお見合いのアプローチ時に過去の失敗に基づいて提供する情報を改善することができ、マッチング成功率を向上させることができる。
【００５０】
なお、本発明は、上記実施の形態の構成に限られず、発明の趣旨を変更しない範囲で種々の変形が可能である。例えば、代理見合い支援システム１で代理となるのは親族でも良く、両親に限定されるものではない。
【００５１】
また、本発明は、このような代理見合い支援システムとして実現することができるだけでなく、このような代理見合い支援システムを構成する装置が備える特徴的な手段をステップとする代理見合い支援方法として実現したり、それらのステップをコンピュータに実行させるプログラムとして実現することができる。そして、そのようなプログラムは、ＵＳＢなどの記録媒体やインターネット等の伝送媒体を介して配信することができるのは言うまでもない。
【符号の説明】
【００５２】
１  代理見合い支援システム
１０  代理見合い支援装置
１１  制御部
１２  認証部
１３  マッチング判定部
１４  表示部
１５  操作入力部
１６  送受信部
１７  データベース部
１８  リクエスト判定部
２０，３０  端末装置（親）
４０，５０  端末装置（子）
【図１】
2020144630.tif 000003
【図２】
2020144630.tif 000004
【図３】
2020144630.tif 000005
【図４】
2020144630.tif 000006
【図５】
2020144630.tif 000007
【図６】
2020144630.tif 000008
【図７】
2020144630.tif 000009
【図８】
2020144630.tif 000010